(57)【特許請求の範囲】
【請求項１】
製造システムのスリップ流れ内に設置された、製造システムにおいて必要な触媒の量の測定のための反応セルシステムであって、
実質的に直径に沿って対向した入り口及び出口を有する球状室を有する反応セルと、
入り口弁を介して該入り口に接続された流体のソースと、
出口弁を介して該出口に接続された、製造システムへの流体の戻りを可能とする戻り配管と、
該球状室をその中心で横断しそして該入り口と出口の間に間置された光学シリンダと、
触媒分配器と連通している触媒のソースと、
指示薬分配器と連通している指示薬のソースと、
該球状室内にありそして該触媒分配器と作用的に連通している触媒インジェクタと、
該球状室内にありそして該指示薬分配器と作用的に連通している指示薬インジェクタと、
該光学シリンダの下にあって、該球状室の下部に保持された撹拌器、ここで該攪拌器は流体、触媒及び指示薬を該球状室内で混合して該光学シリンダによって観察可能な混合物の均一な流れを生じさせる、と、
該指示薬のソース及び該触媒のソース、該指示薬分配器及び該触媒分配器、並びに該指示薬インジェクタ及び該触媒インジェクタの間に間置されて正確な容積の指示薬及び触媒の該球状室への移送を調節する弁ネットワークを具備する反応セルシステム。
【請求項２】
該光学シリンダが該球状室の壁の近くに該光学シリンダを通るスリットを有する請求項１に記載の反応セルシステム。
【請求項３】
該入り口弁と該出口弁の間に間置された作動弁を更に含み、該作動弁は該入り口弁を該出口弁の前に開かせそして該出口弁の後で閉じさせる請求項１に記載の反応セルシステム。
【請求項４】
該作動弁と該入り口弁のと間に間置された第１ニードル弁制御機構と、該作動弁と該出口弁との間に間置された第２ニードル弁制御機構を更に具備し、該第１ニードル弁及び第２ニードル弁は該入り口弁と出口弁の作動の時間遅れを達成する請求項３に記載の反応セルシステム。
【請求項５】
該作動弁が三方弁である請求項４に記載の反応セルシステム。
【請求項６】
該弁ネットワークは、該触媒ソース、触媒分配器及び触媒インジェクタの間に間置された第１弁、及び該指示薬ソース、該指示薬分配器及び該指示薬インジェクタの間に間置された第２弁を含んで成り、該第１弁及び第２弁の各々はその関連したソースからその関連した分配器への移送及びその関連した分配器からその関連したインジェクタへの移送を逐次に達成する請求項１に記載の反応セルシステム。
【請求項７】
該触媒分配器及び該指示薬分配器がダイアフラム分配器を含んで成る請求項６に記載の反応セルシステム。
【請求項８】
該ダイアフラム分配器に接続されそして該ダイアフラム分配器を駆動する三方弁を更に具備する請求項７に記載の反応セルシステム。
【請求項９】
該弁ネットワークは更に、該第１弁及び第２弁と該触媒インジェクタ及び該指示薬インジェクタとの間にそれぞれ間置された第１転換弁（ｄｉｖｅｒｓｉｏｎ  ｖａｌｖｅ）及び第２転換弁を更に具備し、該転換弁は該触媒及び該指示薬を該インジェクタからそれぞれの関連した測定標準に方向転換する（ｄｉｖｅｒｔ）ように作動する請求項８に記載の反応セルシステム。
【請求項１０】
該弁ネットワークは第１フラッシユ弁及び第２フラッシュ弁を更に具備し、該フラッシュ弁の各々は該流体ソースに接続されており、そしてそれぞれ該触媒ソースと該第１弁との間及び該指示薬ソースと該第２弁との間に間置されている請求項９に記載の反応セルシステム。
【請求項１１】
該フラッシュ弁は該第１弁及び該第２弁、該第１転換弁及び第２転換弁及び該ダイアフラム分配器の制御下に反応セルシステム全体にわたって該流体ソースから該流体を選択的に移送するように作動する請求項１０に記載の反応セルシステム。
【請求項１２】
該流体がヘキサンである請求項５に記載の反応セルシステム。
【請求項１３】
製造システムのスリップ流れ内に設置された、製造システムにおいて必要な触媒の量の測定のための反応セルシステムであって、
入り口と出口を有する球状室を有する反応セルと、
入り口弁を介して該入り口に接続された流体のソースと、
出口弁を介して該出口に接続された、製造システムへの流体の戻りを可能とする戻り配管と、
該球状室を横断する光学シリンダであって、該球状室の壁の近くに、渦巻いている材料の均一な流れを確実にするギャップを有する光学シリンダと、
ダイアフラム触媒分配器と連通している触媒のソースと、
ダイアフラム指示薬分配器と連通している指示薬のソースと、
該触媒分配器及び該指示薬分配器に接続されておりそして該触媒分配器及び該指示薬分配器を駆動する三方弁と、
該球状室内にありそして該ダイアフラム触媒分配器と相互接続された触媒インジェクタと、
該球状室内にありそして該ダイアフラム指示薬分配器と相互接続されている指示薬インジェクタと、
該光学シリンダの下にあって、該球状室の下部に保持された撹拌器、ここで該攪拌器は流体、触媒及び指示薬を該球状室内で混合して該ギャップを通る混合物の均一な流れを生じさせる、と、
該触媒ソース、該触媒分配器及び該触媒インジェクタの間に間置された第１弁と、
該指示薬ソース、該指示薬分配器及び該指示薬インジェクタの間に間置された第２弁とを具備する反応セルシステム。
【請求項１４】
該入り口弁と出口弁は共通の作動器を共有しそして関連した時間遅れ制御装置を有し、該入り口弁は該出口弁の前に開きそして該出口弁の後に閉じる請求項１３に記載の反応セルシステム。
【請求項１５】
該出口と該時間遅れ制御装置との間に該戻り配管内のリリーフ弁を更に具備する請求項１４に記載の反応セルシステム。
【請求項１６】
該流体のソースは該ダイアフラム分配器、該インジェクタ及び該第１弁及び第２弁と選択的に連通している請求項１３に記載の反応セルシステム。
【請求項１７】
該光学シリンダの一端を通じて光を投射する光源と、
投射した光が該スリットを通る材料を通過するときこれを検出するように、該光学シリンダの反対の端に位置された光検出器と
更に有する請求項２に記載の反応セルシステム。
【請求項１８】
該光学シリンダの一端を通じて光を投射する光源と、
投射した光が該ギャップを通る材料を通過するときこれを検出するように、該光学シリンダの反対の端に位置された光検出器と
更に有する請求項１３に記載の反応セルシステム。
【発明の詳細な説明】
【０００１】
【発明の属する技術分野】
本発明は監視及び測定装置の分野にある。更に特定的には、本発明は例えば合成ゴム等の合成に使用されるような触媒要求の自動化された測定に関する。特に、本発明は触媒及び指示薬をヘキサン等で満たされたセルに周期的に注入し、しかる後光吸収を測定することにより光学的に監視して触媒要求を決定することができるようにした反応セルシステムに関する。
【０００２】
【従来の技術】
合成ゴム等の製造における普通の技術は、触媒と指示薬が導入される反応セルへのヘキサン又は他の溶媒のスリップ流（ｓｌｉｐ  ｓｔｒｅａｍ）の利用により化合物中の触媒の有効性を周期的に監視することである。反応セルは典型的には光検出技術を使用して触媒有効性を測定及び監視し、かくして化合物中の必要な触媒の量を指示して所望の結果を達成する。しばしば、光源及び光検出器は光学シリンダの対向端部に設けられ、ヘキサン、触媒及び指示薬の撹拌された混合物が該光学シリンダを横切って流れる。光検出器の出力は、触媒要求と同等とみなされるシステム内の触媒の有効性の関数である。
【０００３】
先行技術の反応セルシステムは典型的にはいくつかの問題により妨害されてきた。このようなシステムの幾何学的形状は典型的には試験の中間にセルの完全なフラッシングをすることが実質的に不可能であるようなものであった。結果として、反応した材料はしばしば反応セルのコーナーに運ばれ、その後の試験の結果に不利な影響を与える。セルの清浄化は典型的には時間がかかりそして労力のかかる仕事である。更に、固定されたキャビテイセルに注入される触媒及び指示薬の量は高度に正確な測定であることが極めて必要である。これらの成分の所望の測定からの逸脱は必ず試験の読み取りの不正確さを生じ、このような不正確さは触媒要求の測定における誤差をもたらす。
【０００４】
清浄化及びパージングの容易さを助長する高度に正確な反応セルシステムに対する当業界の要求がある。
【０００５】
【発明が解決しようとする課題】
前記のことから、本発明の第１の観点は、セルキャビテイの清浄化及びパージングが容易な反応セルシステムを提供することである。
【０００６】
本発明の他の観点は、触媒及び指示薬材料をセルキャビテイに注入するための分配弁（ｄｉｓｐｅｎｓｉｎｇ  ｖａｌｖｅｓ）が高度に正確な性質のものである反応セルシステムを提供することである。
【０００７】
本発明の他の観点は、全体のシステムがヘキサンのような溶媒によりパージされることができそしてセルキャビテイの内部が決して空気にさらされない反応セルシステムを提供することである。
【０００８】
更に他の本発明の観点は、ヘキサン流れのタイミングが反応セルキャビテイが常に満たされていることを確実にするようなものである反応セルシステムを提供することである。
【０００９】
本発明の更に他の観点は、空気弁を使用して正の且つ正確な分配を達成してそのように分配された材料のブリードバック（ｂｌｅｅｄｂａｃｋ）の可能性、特に有害な環境をなくする反応セルシステムを提供することである。
【００１０】
本発明の更に他の観点は、手動弁を使用してパージング操作、分配測定操作又は触媒要求の所望の測定を選択することができる反応セルシステムを提供することである。
【００１１】
本発明の更に他の観点は、当業界の技術水準で設置するのが容易であると共に操作において信頼性があり且つ耐久性である反応セルシステムを提供することである。
【００１２】
【課題を解決するための手段】
詳細な説明が進行するにつれて明らかになる本発明の前記の及び他の観点は、触媒要求の測定のための反応セルシステムであって、実質的に直径に沿って対向した（ｄｉａｍｅｔｒｉｃａｌｌｙ  ｏｐｐｏｓｅｄ）入り口及び出口を有する球状室（ｓｐｈｅｒｉｃａｌ  ｃｈａｍｂｅｒ）を有する反応セルと、入り口弁を介して該入り口に接続された流体のソースと、出口弁を介して該出口に接続された戻り配管と、該室をその中心で横断しそして該入り口と出口の間に間置された光学シリンダと、該光学シリンダの下にあって、該球状室の下部に保持された撹拌器と、触媒分配器（ｄｉｓｐｅｎｓｅｒ）と連通している触媒のソースと、指示薬分配器と連通している指示薬のソースと、該室内にありそして該触媒分配器と作用的に連通している触媒インジェクタと、該室内にありそして該指示薬分配器と作用的に連通している指示薬インジェクタと、該指示薬のソース及び該触媒のソース、該指示薬分配器及び該触媒分配器、並びに該指示薬インジェクタ及び該触媒インジェクタの間に間置されて正確な容積の指示薬及び触媒の該室への移送を調節する弁ネットワークを具備する反応セルシステムにより達成される。
【００１３】
本発明において明らかになるであろう本発明の他の観点は、触媒要求の測定のための反応セルシステムであって、入り口と出口を有する球状室を有する反応セルと、入り口弁を介して該入り口に接続された流体のソースと、出口弁を介して該出口に接続された戻り配管と、該球状室を横断する光学シリンダであって、該球状シリンダの壁の近くにギャップを有する光学シリンダと、該光学シリンダの下にあって該球状室の底部に位置した撹拌器と、ダイアフラム触媒分配器と連通している触媒のソースと、ダイアフラム指示薬分配器と連通している指示薬のソースと、該触媒分配器及び該指示薬分配器に接続されておりそして該触媒分配器及び該指示薬分配器を駆動する三方弁と、該球状室内にありそして該ダイアフラム触媒分配器と相互接続された触媒インジェクタと、該球状室内にありそして該ダイアフラム指示薬分配器と相互接続されている指示薬インジェクタと、該触媒ソース、該触媒分配器及び該触媒インジェクタの間に間置された第１弁と、該指示薬ソース、該指示薬分配器及び該指示薬インジェクタの間に間置された第２弁とを具備する反応セルシステムにより達成される。
【００１４】
【実施例】
本発明の目的、技術及び構成の完全な理解のために、以下の詳細な説明及び本発明の反応セルシステムの例示的態様が示されている添付図面が参照されるべきである。
【００１５】
図面を参照すると、本発明に従う反応セルシステムは一般に番号１０により示される。システム１０の主な特徴はヘキサンの如き適当な溶媒のソース配管１４及び戻り配管１６の間に間置される反応セル１２である。反応セル１２は下記する滴定を行うのに使用される。
【００１６】
反応セル１２は球状室２０を規定するハウジング１８を含む。球状室２０の底部付近に保持されているのは磁性ロータ２２であり、この磁性ロータ２２は、標準方式で、室２０に導入された液体成分を撹拌又は混合するのに使用される。入り口２４はソース配管１４と相互接続されており、出口２６は戻り配管１６と相互接続されている。入り口２４は球状室２０へのヘキサンの流入を可能とし、出口２６は製造システムへのその戻りを可能とし、反応セルシステム２０は製造システムのスリップ流れ（ｓｌｉｐ  ｓｔｒｅａｍ）内に間置されていると理解される。後に明らかになるように、入り口２４及び出口２６は球状室２０内にヘキサンを補給するため及び所望によりその室をフラッシングするための手段を提供する。更に、後に述べられるバルビング（ｖａｌｖｉｎｇ）は室２０が“満たされた”状態（“ｆｕｌｌ”  ｐｏｓｔｕｒｅ）に常に維持されることを確実にする。
【００１７】
光学シリンダ２８が室２０内に保持される。好ましくは、光学シリンダ２８は示されたとおり室２０を軸線方向に横断する（ａｘｉａｌｌｙ  ｔｒａｖｅｒｓｅｓ）。当業者には周知されているとおり、光学シリンダ２８はスリット又はギャップ３０を含み、ロータ２２により撹拌された材料はそれを通過するであろう。本発明の好ましい態様に従えば、スリット又はギャップ３０は球状室２０の壁と並んで保持され、撹拌された材料がそれを通過するのを確実にする。更に、ロータ２２により撹拌された渦巻いている材料（ｓｗｉｒｌｉｎｇ  ｍａｔｅｒｉａｌ）は渦（ｖｏｒｔｅｘ）を有しないで、球の中心を通るロータへの戻りを伴って、球状壁の回りをむしろ均一に流れようとする。従って、スリット又はギャップ３０の壁の近くの位置への片寄りは材料の変わらない流れ（ｃｏｎｓｉｓｔｅｎｔ  ｆｌｏｗ）がそれを通過することを確実にする。
【００１８】
光源３２及び光検出器３４は、光学シリンダ２８の軸線方向に位置した端部に配置されている。光源３２は、光検出器３４により受け取られるように、光学シリンダ２８を通して及びスリット３０内に保持された材料を通して光を放射する。光検出器３４は、光検出器３４がそれに入射する光に対応する出力を与えるように、指示薬の特徴的光学波長に同調させられる（ｔｕｎｅｄ）。図面にも示されているとおり、一対の端部プレート又はキャップ３６、３８がハウジング１８の対向した端部に保持されておりそして光学シリンダ２８を所定の位置に取り付けるのに役立つ。
【００１９】
反応セルシステム１０はソース配管１４に空気作動弁４０を含みそして戻り配管１６に空気作動弁４２を含む。例示されたとおり、空気又は窒素のようなガス圧力ソースに接続された三方弁４４が弁４０、４２の間に間置されていて、その作動を制御する。更に示されたとおり、ニードル弁流れ機構４６が三方弁４４と空気作動弁４０の間に間置されており、他のニードル弁流れ機構４８が三方弁４４と空気作動弁４２の間に間置されている。流れ制御機構４６、４８は対になった弁４０、４２の作動及び脱作動（ｄｅａｃｔｕａｔｉｏｎ）の間の時間遅れを与えるように構成される。特に、三方弁４４を作動させて弁４０、４２に圧力を加えると、ニードル弁流れ制御機構４８は弁４０が作動させれた後まで弁４２の作動を遅らせる。同様に、三方弁４４が排出されて（ｅｘｈａｕｓｔｅｄ）弁４０、４２から圧力を除去すると、弁４２は最初に閉じられ、続いて弁４０が閉じられる。流れ制御機構４６、４８により達成されるこのような時間遅れは球状室２０がヘキサンで完全に満たされることを常に確実にすることが認められるであろう。換言すれば、戻り配管１６はソース配管１４の後に開き、ソース配管１４の前に閉じる。
【００２０】
戻り配管１６内には、球状室２０の過圧を防止するためのリリーフ弁５０も配置されている。このような過圧は弁４０、４２の操作に付随する時間遅れの結果として又は以下に説明するであろう触媒及び／又は指示薬（滴定剤）の導入により生じ得る。戻り配管１６内にはヘキサン流れの視覚による監視を可能とする覗きガラス５２も保持されている。
【００２１】
触媒のソース５４及び指示薬又は滴定剤のソース５６も反応セルシステム１０の一部として含まれる。例示されたとおり、触媒ソース５４は反応セル１２の球状室２０への正確な量の触媒の注入のためのインジェクタ５８と相互接続されている。同様に、滴定剤ソース５６は同様な指示薬の注入のためにインジェクタ６０と相互接続されている。インジェクタ５８、６０は構造及び使用においてシリンジ状であり（ｓｙｒｉｎｇｅ−ｌｉｋｅ）そして極めて少量の計量された容積の触媒及び指示薬の導入のために使用されることは当業者により認められるであろう。
【００２２】
固定されたキャビティ２０に注入される触媒及び指示薬の容積の正確度が極めて重要であることは認められるであろう。この理由で、本発明の好ましい態様はダイアフラム分配器（ｄｉａｐｈｒａｇｍ  ｄｉｓｐｅｎｓｅｒｓ）６２、６４を使用し、該ダイアフラム分配器６２、６４は空気又は窒素の形態でそれにガス圧力を加えるための適当な三方弁６６により制御される。ダイアフラム分配器６２、６４の分配サイクルは三方弁６６の制御下に達成され、ダイアフラム分配器６２、６４の補給（ｒｅｐｌｅｎｉｓｈｉｎｇ）はソース５４、５６からの触媒及び指示薬の流体圧により弁６４の排出（ｅｘｈａｕｓｔ）により達成される。ダイアフラム分配器は極めて正確な分配操作を与え、三方弁６６の設置はこれらの分配器の正の作動（ｐｏｓｉｔｉｖｅ  ａｃｔｕａｔｉｏｎ）を確実にすることを当業者は容易に認めるであろう。
【００２３】
関連したインジェクタ５８、６０を介しての触媒及び指示薬の注入はそれぞれ関連した空気作動弁６８、７０を介して関連したダイアフラム分配器６２、６４により達成される。弁６８、７０は、関連したソース５４、５６からそれぞれのダイアフラム６２、６４に及びこれらのダイアフラムから関連したインジェクタ５８、６０に液体を送る間に正の空気作動により切り替えられる。空気作動弁６８、７０の正の作用（ｐｏｓｉｔｉｖｅ  ａｃｔｉｏｎ）は、この液体の逆流がないこと及び特定のダイアフラム分配器６２、６４の各々内に保持された全容積（ｆｕｌｌ  ｖｏｌｕｍｅ）がキャビティ２０に注入されることを確実にする。
【００２４】
示されたとおり、手動弁７２、７４が触媒５４の分配配管に保持されており、手動弁７６、７８は指示薬ソース５６の分配配管内に保持されている。示されたとおり、手動弁７２、７６はヘキサンソース１４と相互接続されており、そして該弁が作動させられてソース１４と相互接続すると、所望により、ヘキサンを全システム全体にわたって流れさせてシステムの完全なフラッシングを与えることができる。弁７２、７６が作動させれられてそれぞれソース５４、５６と相互接続すると、ヘキサンは触媒及び指示薬の流路に入らない。
【００２５】
手動弁７４、７８を手動で作動させて触媒及び指示薬を選択的にそしてそれぞれ測定容器８０、８２に又は関連したインジェクタ５８、６０に送ることもできる。測定容器８０、８２は所望の量が関連したダイアフラム分配器６２、６４により分配されることを確実にするために簡単に使用されうる標準を与える。
【００２６】
要求はされないけれども、示されたとおり、触媒及び指示薬のそれぞれの注入配管において逆止弁８４、８６を使用することが望まれることがある。システムの空気作動弁及び三方弁の使用はこのような逆止弁の必要を実質的になくすることが見いだされた。
【００２７】
普通の操作では、手動弁７２、７６及び７４、７８はソース５４からの触媒がインジェクタ５８を通して注入されそしてソース５６からの指示薬がインジェクタ６０を通して注入されうるように切り替えられる。三方弁４４は空気作動弁４０が最初に開かれ、その短い時間後に弁４２が開かれるように作動される。ヘキサンはソース１４から入り口２４を通って流れ、球状キャビテイ２０をフラッシングし、そして出口２６を出て戻り配管１６に至る。完全なフラッシングを確実にするのに十分な時間が過ぎた後、三方弁４４は排出されて、弁４２は閉じ、その短い時間の後弁４０が閉じる。リリーフ弁５０は、弁４２、４０間の閉じる際の遅れから生じる過圧を放圧する。ダイアフラム分配器６２、６４は、三方弁６６により作動させられて、正確な予め決められた容積の触媒及び指示薬を空気作動弁６８、７０、手動弁７４、７８を通って関連したインジェクタ５８、６０を経由してキャビティ２０に送らせる。過圧はリリーフ弁５０により放圧される。次いでロータ２２を作動させて、ヘキサン、触媒及び指示薬の完全なブレンドを達成する。ブレンドは、光源３２から光検出器３０に当たる光がシステムにおける不純物により使用された触媒の量・・・残りは化学プロセスで使用するのに利用可能である・・・について特徴的であるようにスリット又はギャップ３０を通過する。
【００２８】
キャビティ２０の球状性質は試験の間にシステムの完全なフラッシングを確実にしながらヘキサン、触媒及び指示薬の保持のための角又は縁を排除することは当業者により認められるであろう。三方弁の設置は、注入された材料及びヘキサンの正のバルビング及び作動を確実にする。更に、ダイアフラム分配器の設置は、正確な容積の触媒及び指示薬が各試験サイクルに対して注入されることを確実にする。機械的バルビングは、空気がシステムの内部に到達して不利な作用を起こすことがないことを確実にすると共に、ダイアフラム分配器及び弁を含む全体のシステムをヘキサンで完全にフラッシングするための手段を提供する。
【００２９】
説明した態様は使用される溶媒としてヘキサンを挙げたが、他の溶媒又は流体を使用できることは認められるであろう。実際に、ヘキサン溶媒中のスチレンモノマー又はヘキサン溶媒中のブタジエンモノマーが使用できることを意図する。更に、触媒及び指示薬は、ヘキサンのような試験されている流体中に存在する不純物の濃度に直接関係した吸収の強度を有する単一成分又は多成分組成物のいずれかであることができる光吸収性指示薬を確立するのに適当な性格を持つものであることができる。
【００３０】
かくして、本発明の目的は上記した構造及び技術により満たされたことが分かる。特許法に従って本発明の最善のモード及び好ましい態様のみが与えられそして詳細に述べられたが、本発明はそれに又はそれにより限定されるものではない。従って本発明の真の範囲及び広さの認識については、特許請求の範囲が参照されるべきである。
【００３１】
本発明の主なる特徴及び態様は以下のとおりである。
【００３２】
１．触媒要求の測定のための反応セルシステムであって、
実質的に直径に沿って対向した入り口及び出口を有する球状室を有する反応セルと、
入り口弁を介して該入り口に接続された流体のソースと、
出口弁を介して該出口に接続された戻り配管と、
該室をその中心で横断しそして該入り口と出口の間に間置された光学シリンダと、
該光学シリンダの下にあって、該球状室の下部に保持された撹拌器と、
触媒分配器と連通している触媒のソースと、
指示薬分配器と連通してしている指示薬のソースと、
該室内にありそして該触媒分配器と作用的に連通している触媒インジェクタと、
該室内にありそして該指示薬分配器と作用的に連通している指示薬インジェクタと、
該指示薬のソース及び該触媒のソース、該指示薬分配器及び該触媒分配器、並びに該指示薬インジェクタ及び該触媒インジェクタの間に間置されて正確な容積の指示薬及び触媒の該室への移送を調節する弁ネットワークを具備する反応セルシステム。
【００３３】
２．該光学シリンダが該球状室の壁の近くに該光学シリンダを通るスリットを有する上記１に記載の反応セルシステム。
【００３４】
３．該入り口弁と該出口弁の間に間置された作動弁を更に含み、該作動弁は該入り口弁を該出口弁の前に開かせそして該出口弁の後で閉じさせる上記１に記載の反応セルシステム。
【００３５】
４．該作動弁と該入り口弁のと間に間置された第１ニードル弁制御機構と、該作動弁と該出口弁との間に間置された第２ニードル弁制御機構を更に具備し、該第１ニードル弁及び第２ニードル弁は該入り口弁と出口弁の作動の時間遅れを達成する上記３に記載の反応セルシステム。
【００３６】
５．該作動弁が三方弁である上記４に記載の反応セルシステム。
【００３７】
６．該弁ネットワークは、該触媒ソース、触媒分配器及び触媒インジェクタの間に間置された第１弁、及び該指示薬ソース、該指示薬分配器及び該指示薬インジェクタの間に間置された第２弁を含んで成り、該第１弁及び第２弁の各々はその関連したソースからその関連した分配器への移送及びその関連した分配器からその関連したインジェクタへの移送を逐次に達成する上記１に記載の反応セルシステム。
【００３８】
７．該触媒分配器及び該指示薬分配器がダイアフラム分配器を含んで成る上記６に記載の反応セルシステム。
【００３９】
８．該ダイアフラム分配器に接続されそして該ダイアフラム分配器を駆動する三方弁を更に具備する上記７に記載の反応セルシステム。
【００４０】
９．該弁ネットワークは更に、該第１弁及び第２弁と該触媒インジェクタ及び該指示薬インジェクタとの間にそれぞれ間置された第１転換弁（ｄｉｖｅｒｓｉｏｎ  ｖａｌｖｅ）及び第２転換弁を更に具備し、該転換弁は該触媒及び該指示薬を該インジェクタからそれぞれの関連した測定標準に方向転換する（ｄｉｖｅｒｔ）ように作動する上記８に記載の反応セルシステム。
【００４１】
１０．該弁ネットワークは第１フラッシユ弁及び第２フラッシュ弁を更に具備し、該フラッシュ弁の各々は該流体ソースに接続されており、そしてそれぞれ該触媒ソースと該第１弁との間及び該指示薬ソースと該第２弁との間に間置されている上記９に記載の反応セルシステム。
【００４２】
１１．該フラッシュ弁は該第１弁及び該第２弁、該第１転換弁及び第２転換弁及び該ダイアフラム分配器の制御下に反応セルシステム全体にわたって該流体ソースから該流体を選択的に移送するように作動する上記１０に記載の反応セルシステム。
【００４３】
１２．該流体がヘキサンである上記５に記載の反応セルシステム。
【００４４】
１３．触媒要求の測定のための反応セルシステムであって、
入り口と出口を有する球状室を有する反応セルと、
入り口弁を介して該入り口に接続された流体のソースと、
出口弁を介して該出口に接続された戻り配管と、
該球状室を横断する光学シリンダであって、該球状シリンダの壁の近くにギャップを有する光学シリンダと、
該光学シリンダの下にあって該球状室の底部に位置した撹拌器と、
ダイアフラム触媒分配器と連通している触媒のソースと、
ダイアフラム指示薬分配器と連通している指示薬のソースと、
該触媒分配器及び該指示薬分配器に接続されておりそして該触媒分配器及び該指示薬分配器を駆動する三方弁と、
該球状室内にありそして該ダイアフラム触媒分配器と相互接続された触媒インジェクタと、
該球状室内にありそして該ダイアフラム指示薬分配器と相互接続されている指示薬インジェクタと
該触媒ソース、該触媒分配器及び該触媒インジェクタの間に間置された第１弁と、
該指示薬ソース、該指示薬分配器及び該指示薬インジェクタの間に間置された第２弁とを具備する反応セルシステム。
【００４５】
１４．該入り口弁と出口弁は共通の作動器を共有しそして関連した時間遅れ制御装置を有し、該入り口弁は該出口弁の前に開きそして該出口弁の後に閉じる上記１３に記載の反応セルシステム。
【００４６】
１５．該出口と該時間遅れ制御装置との間に該戻り配管内のリリーフ弁を更に具備する上記１４に記載の反応セルシステム。
【００４７】
１６．該流体のソースは該ダイアフラム分配器、該インジェクタ及び該第１弁及び第２弁と選択的に連通している上記１３に記載の反応セルシステム。
【図面の簡単な説明】
【図１】本発明の反応セルシステムの好ましい態様を例示する。
【符号の説明】
１０    反応セルシステム
１２    反応セル
１４    溶媒ソース配管
１６    溶媒戻り配管
１８    ハウジング
２０    球状室
２２    磁性ロータ
２４    入り口
２６    出口
２８    光学シリンダ
３０    スリット又はギャップ
３２    光源
３４    光検出器
４０、４２    空気作動弁
４４    三方弁
４６、４８    流れ制御機構
５０    リリーフ弁
５２    覗きガラス
５４    触媒ソース
５６    指示薬ソース
５８、６０    インジェクタ
６２、６４    ダイアフラム分配器
６６    三方弁
６８、７０    空気作動弁
７２、７４、７６、７８    手動弁
８０、８２    測定容器
８４、８６    逆止弁
【図１】
0004436478.tif 000002